(57)【要約】【課題】回転動作にて奥スペースの食品等の取り出しを容易にする回転棚装置を有する冷蔵庫において、動作時の安全性を向上させた冷蔵庫を提供する。【解決手段】この発明に係る冷蔵庫は、物品を収納する貯蔵室と、貯蔵室の開口部を開閉する扉体と、扉体に設けられ、物品を収納するポケットと、貯蔵室に設けられ、以下の要素を有する回転棚装置と、を備え、（１）貯蔵室の左右側壁に設置される一対のレール；（２）一対のレール上に前後方向に摺動自在に設けられ、略中央に軸支持穴を有する支持棚；（３）四隅に回転支点を中心とした円弧形状により切欠きが形成され、略中央に回転トレイ軸が形成された回転トレイ；（４）回転トレイ軸に固定されるとともに、支持棚の軸支持穴に摺動自在に嵌合する固定リング；  回転トレイの高さ方向の位置が、ポケットの高さ方向の位置と少なくと一部が重なるものである。【選択図】図８
2011247446.tif 000002
【特許請求の範囲】
【請求項１】
物品を収納する貯蔵室と、
前記貯蔵室の開口部を開閉する扉体と、
前記扉体に設けられ、物品を収納するポケットと、
前記貯蔵室に設けられ、以下の要素を有する回転棚装置と、を備え、
（１）前記貯蔵室の左右側壁に設置される一対のレール；
（２）前記一対のレール上に前後方向に摺動自在に設けられ、略中央に軸支持穴を有する支持棚；
（３）四隅に回転支点を中心とした円弧形状により切欠きが形成され、略中央に回転トレイ軸が形成された回転トレイ；
（４）前記回転トレイ軸に固定されるとともに、前記支持棚の前記軸支持穴に摺動自在に嵌合する固定リング；
前記回転トレイの高さ方向の位置が、前記ポケットの高さ方向の位置と少なくと一部が重なることを特徴とする冷蔵庫。
【請求項２】
前記回転トレイの円弧状に切欠いた端部における上端は、前記ポケットの底面よりも高い位置にあり、且つ前記回転トレイの円弧状に切欠いた端部における下端は、前記ポケットの上端よりも低い位置にあることを特徴とする請求項１記載の冷蔵庫。
【発明の詳細な説明】
【技術分野】
【０００１】
この発明は、冷蔵庫に関する。特に、冷蔵室等の貯蔵室における食品収納棚の使い勝手向上技術に関する。
【背景技術】
【０００２】
一般に、冷蔵庫における食品を載せる食品収納棚を有する冷蔵室において、特に、最上段奥スペースに入れた食品収納棚上の食品を容易に取り出すことができるように改善することが強く要求されている。
【０００３】
そこで、庫内に回転自在の棚を設け、この棚を回転させることにより、奥の物品を手前に移動できるようにして、物品の出し入れの利便を図っている。さらに、回転自在の棚を着脱自在にして、回転自在の棚が不要な場合には、それを取り外して上下に広い空間を作ったり、庫内を清掃しやすくする冷蔵庫が提案されている（例えば、特許文献１参照）。
【先行技術文献】
【特許文献】
【０００４】
【特許文献１】特開平４−１２４５８０号公報
【発明の概要】
【発明が解決しようとする課題】
【０００５】
しかしながら、上記特許文献１の冷蔵庫は、庫内の奥スペースの食品等の取り出しを容易にする効果を有するものの、回転させるために棚の平面視での形状が円形であり、棚のコーナー部の無効スペースが大きくなるという課題があった。
【０００６】
また、円形の棚に沿って庫内壁面も平面視で略円弧上の形状としているため、貯蔵室（冷蔵室等）の間口が狭くなり、見栄えや使い勝手を損ねている。また、貯蔵室背面コーナー部も狭くなるため、庫内全体の狭少感を招くとともに、実際の有効貯蔵容積が減少するという課題があった。
【０００７】
この発明は、上記のような課題を解決するためになされたもので、回転動作にて奥スペースの食品等の取り出しを容易にする回転棚装置を有する冷蔵庫において、無効スペースを最小限に留め、且つ、見栄えや取外し清掃性が向上し、動作時の安全性を向上させた冷蔵庫を提供する。
【課題を解決するための手段】
【０００８】
この発明に係る冷蔵庫は、
物品を収納する貯蔵室と、
貯蔵室の開口部を開閉する扉体と、
扉体に設けられ、物品を収納するポケットと、
貯蔵室に設けられ、以下の要素を有する回転棚装置と、を備え、
（１）貯蔵室の左右側壁に設置される一対のレール；
（２）一対のレール上に前後方向に摺動自在に設けられ、略中央に軸支持穴を有する支持棚；
（３）四隅に回転支点を中心とした円弧形状により切欠きが形成され、略中央に回転トレイ軸が形成された回転トレイ；
（４）回転トレイ軸に固定されるとともに、支持棚の軸支持穴に摺動自在に嵌合する固定リング；
回転トレイの高さ方向の位置が、ポケットの高さ方向の位置と少なくと一部が重なるものである。
【発明の効果】
【０００９】
この発明に係る冷蔵庫は、仮に、使用者がポケット干渉位置に回転トレイを止めた状態から、誤って扉体閉動作を起こしたとしても、ポケットと回転トレイが当接するため、ポケット及び回転トレイの物品が直接衝撃を受けることがない。そのため、物品落下の危険度と低減できる。また、ポケットには多くビン容器等が収納されるが、ビン容器の破損も回避できる効果を奏する。
【図面の簡単な説明】
【００１０】
【図１】実施の形態１を示す図で、回転棚装置１０の分解斜視図。
【図２】実施の形態１を示す図で、回転棚装置１０の原位置における概念平面図。
【図３】実施の形態１を示す図で、回転棚装置１０の原位置における概念斜視図。
【図４】実施の形態１を示す図で、回転棚装置１０の前進位置における概念斜視図。
【図５】実施の形態１を示す図で、回転棚装置１０の前進回転位置における概念斜視図。
【図６】実施の形態１を示す図で、回転棚装置１０の前進回転位置における概念斜視図。
【図７】実施の形態１を示す図で、回転棚装置１０の原位置回転位置における概念斜視図。
【図８】実施の形態１を示す図で、冷蔵庫１００の部分縦断面図。
【図９】実施の形態１を示す図で、扉が閉じた状態の冷蔵庫１００の横断面図。
【図１０】実施の形態１を示す図で、扉が開き且つ回転トレイ１１が約９０°回転した状態の冷蔵庫１００の横断面図。
【図１１】実施の形態１を示す図で、レール２０を冷蔵室１０１側から見た側面図。
【発明を実施するための形態】
【００１１】
実施の形態１．
図１は実施の形態１を示す図で、冷蔵庫の回転棚装置１０の分解斜視図である。回転棚装置１０は、以下の要素を備える。
（１）物品を収納する貯蔵室（例えば、冷蔵室１０１）の左右側壁に設置される一対のレール２０；
（２）一対のレール２０上に前後方向に摺動自在に設けられ、略中央に軸支持穴１２ａを有する支持棚１２；
（３）四隅に回転支点を中心とした円弧形状により切欠きが形成され、略中央に回転トレイ軸１１ａが形成された回転トレイ１１；
（４）回転トレイ軸１１ａに固定されるとともに、支持棚１２の軸支持穴１２ａに摺動自在に嵌合する固定リング１３。
【００１２】
回転棚装置１０以外の冷蔵庫１００（図８〜図１０参照）の構成は、一般的な構成であるので、詳細な説明は割愛する。冷蔵庫は、鋼板製の外箱と樹脂製の内箱とこれらの間に充填された発泡断熱材とで形成された断熱箱体を複数の室に仕切り、それぞれの室の開口部を開閉自在に閉塞する扉体を有する。
【００１３】
冷蔵庫１００の断熱箱体は、例えば、上から順に冷蔵室１０１（後述する）、製氷室及び切替室、野菜室、冷凍室に仕切られている。これらの室を、貯蔵室と呼ぶことにする。そして、これらの室は、その開口部を開閉自在に閉塞する冷蔵室扉体（後述する）、製氷室扉体、切替室扉体、野菜室扉体、冷凍室扉体を有する。
【００１４】
断熱箱体を複数の室に仕切る仕切部材には、冷蔵室１０１と製氷室及び切替室とを仕切る第１の仕切部材、製氷室と切替室とを仕切る第２の仕切部材、製氷室及び切替室と野菜室とを仕切る第３の仕切部材、野菜室と冷凍室とを仕切る第４の仕切部材がある。
【００１５】
先ず、回転棚装置１０の基本構成について、図２乃至図７を参照しながら説明する。図２乃至図７は実施の形態１を示す図で、図２は回転棚装置１０の原位置における概念平面図、図３は回転棚装置１０の原位置における概念斜視図、図４は回転棚装置１０の前進位置における概念斜視図、図５は回転棚装置１０の前進回転位置における概念斜視図、図６は回転棚装置１０の前進回転位置における概念斜視図、図７は回転棚装置１０の原位置回転位置における概念斜視図である。
【００１６】
図における一対のレール２０（前後方向に支持棚１２を案内するガイド）は、冷蔵庫内の貯蔵室の両側壁面（内箱の両側壁面）に設けられ、支持棚１２を前後方向に摺動自在に支持している。支持棚１２上には回転トレイ１１が設けられ、支持棚１２と回転トレイ１１は互いに回転自由な一箇所の支点により連結されている（この点については、後述する）。回転トレイ１１は、支持棚１２に回転自由な支点により支持されていて、回転トレイ１１の四隅は回転支点を中心とした円弧形状により切り欠きを有することで回動できる形状となっている。
【００１７】
図２、図３に示す原位置において、回転棚装置１０は、回転トレイ１１が回転することなく冷蔵庫内の貯蔵室（例えば、冷蔵室）に収納されている。そして、レール２０に沿って前後方向にスライド可能な支持棚１２は、貯蔵室の最奥部に位置する。このときユーザは、必要に応じて支持棚１２をレール２０に沿って前後にスライドさせることができる。図２、図３では、食品３０が回転トレイ１１の右最奥部に置かれている状態を示している。
【００１８】
例えば、図４に示すように、回転トレイ１１をレール２０に沿って手前に引き出すことにより、回転トレイ１１上の手前もしくは中央付近への食品（図示せず）の出し入れは、容易に行うことができる。
【００１９】
しかし、例えば、回転トレイ１１の右最奥部に置かれている食品３０は、図４に示すように回転トレイ１１をレール２０に沿って手前に引き出しても、容易に取り出すことは困難である。回転トレイ１１の右最奥部に置かれている食品３０の手前側に他の食品がある場合は、特に難しい。
【００２０】
本実施の形態の回転棚装置１０は、回転トレイ１１が、支持棚１２に回転自由な支点により支持されていて、回転トレイ１１の四隅は回転支点を中心とした円弧形状により切り欠きを有することで回動できる形状となっている。そのため、例えば、回転トレイ１１の右最奥部に置かれている食品３０を取り出す場合は、先ず最奥部にある回転トレイ１１を手前に引き出す（図４の状態）。次に、図５に示すように、回転トレイ１１をいずれかの方向に回転させる（時計方向でも反時計方向でもよい、図５では時計方向の場合を示している）。
【００２１】
図２、図３に示す原位置から１８０°回転させた状態を、図６に示す。最奥部にある回転トレイ１１を手前に引き出した状態（図４）で、回転トレイ１１上に置かれた食品の前後位置関係を反転させることができる。
【００２２】
特に、図２、図３に示す原位置で回転トレイ１１の右最奥部に置かれていた食品３０が、回転トレイ１１の最前列に位置する。そのため、ユーザは容易に食品３０を取り出すことができる。
【００２３】
さらには、その状態（食品３０が回転トレイ１１の最前列に位置する）で図７に示すように、支持棚１２を後方に移動させて貯蔵室の最奥部に収めることもできる。賞味期限が迫りがちな冷蔵庫最奥部スペースに収納された食品等を冷蔵庫内の手前スペースに配置替えした状態で冷蔵保管することも可能であり、ユーザの利便性に加えて食品の賞味期限切れによるロス低減にも効果を奏することができる。
【００２４】
ここまでは、回転トレイ１１の右最奥部に置かれている食品３０を取り出すケースについて説明したが、その反対に、例えば、回転トレイ１１の右最奥部に収納スペースがあり、そこに食品等を収納する場合も、同様の手順で行うことができる。
【００２５】
尚、冷蔵庫の最上部に位置する貯蔵室に複数の棚がある場合、最上段の棚に本実施の形態の回転棚装置１０を用いると、最上段の棚における奥の食品の取り出し性が改善されるので、特に有効である。
【００２６】
回転棚装置１０の支持棚１２が手前に引き出され、且つ回転トレイ１１が原位置より９０°前後回転して、回転トレイ１１の直線部（長手方向）が略前後方向を向く状態のときに、開いている冷蔵庫１００の扉を誤って閉じると、冷蔵庫１００の扉に設けられるポケット（後述する）に収納されているビン容器等に回転トレイ１１が干渉してビン容器等が破損する場合がある。
【００２７】
本実施の形態の冷蔵庫１００は、そのような場合に、扉に設けられるポケットを、回転トレイ１１に当接させることにより、扉のポケットに収納されているビン容器等の破損を防止する。
【００２８】
図８乃至図１１は実施の形態１を示す図で、図８は冷蔵庫１００の部分縦断面図、図９は扉が閉じた状態の冷蔵庫１００の横断面図、図１０は扉が開き且つ回転トレイ１１が約９０°回転した状態の冷蔵庫１００の横断面図、図１１はレール２０を冷蔵室１０１側から見た側面図である。
【００２９】
冷蔵庫１００の最上部に位置する冷蔵室１０１を貯蔵室の一例として、その構成を説明する（図８、図９）。冷蔵室１０１は前部が開口部し、この開口部を開閉する回転式の扉（左）５０ａ並びに扉（右）５０ｂ（扉体、観音式扉）を備える。扉（左）５０ａには、ビン容器等を収納するポケット（左）６０ａがその内側に設けられる。また、扉（右）５０ｂには、ビン容器等を収納するポケット（右）６０ｂがその内側に設けられる。扉（左）５０ａ、扉（右）５０ｂの左右方向の幅は、扉（右）５０ｂの方が扉（左）５０ａよりも大きいが、これは一例であって、任意でよい。
【００３０】
ポケット（左）６０ａ及びポケット（右）６０ｂと、回転棚装置１０の回転トレイ１１との高さ方向における位置関係について説明する。本実施の形態の冷蔵庫１００は、扉（左）５０ａ及び扉（右）５０ｂが開き（約９０°）、且つ回転トレイ１１が原位置から約９０°回転した状態で（図１０参照）、扉（左）５０ａもしくは扉（右）５０ｂを閉じた場合、ポケット（左）６０ａもしくはポケット（右）６０ｂは、回転トレイ１１に当接する構成である。
【００３１】
そのために必須の構成を、図８により説明する。
（１）回転トレイ１１の円弧状に切欠いた端部における上端は、ポケット（左）６０ａ及びポケット（右）６０ｂの底面よりも高い位置にあること；
（２）回転トレイ１１の円弧状に切欠いた端部における下端は、ポケット（左）６０ａ及びポケット（右）６０ｂの上端よりも低い位置にあること；
上記（１）及び（２）の条件を満たすことにより、扉（左）５０ａ及び扉（右）５０ｂが開き（約９０°）、且つ回転トレイ１１が原位置から約９０°回転した状態（図１０参照）で、扉（左）５０ａもしくは扉（右）５０ｂを閉じた場合、ポケット（左）６０ａもしくはポケット（右）６０ｂは、回転トレイ１１の円弧状に切欠いた端部に当接する。
【００３２】
図９の扉（左）５０ａ及び扉（右）５０ｂが閉じた状態から、扉（左）５０ａ及び扉（右）５０ｂが解放され、続いて支持棚１２がレール２０上を前方に移動し、それに伴い回転トレイ１１の回転トレイ軸１１ａ（図１）も前方に移動して、回転トレイ１１が冷蔵室１０１の背面に干渉することなく回転できる状態となる。尚、レール２０には支持棚１２と当接し、前方への移動量を規制するストッパー２０ａが設けられ、回転棚装置１０が前方へ脱落しないよう構成されている（図１１参照）。
【００３３】
支持棚１２が前方へ移動し、回転トレイ１１が回転可能となり図１０の状態となる。しかし、図１０の状態では、図示の如く、回転トレイ１１が原位置（図２、図３）から約９０°回転し、扉（左）５０ａ及び扉（右）５０ｂ閉鎖時に、回転トレイ１１がポケット（左）６０ａ及びポケット（右）６０ｂ自体もしくはポケット（左）６０ａ及びポケット（右）６０ｂ内のビン容器等に干渉する。
【００３４】
しかし、本実施の形態の冷蔵庫１００は、図８に示すように、回転トレイ１１とポケット（左）６０ａ及びポケット（右）６０ｂは、高さ方向でラップする位置関係となっている。そのため、仮に、使用者がポケット（左）６０ａもしくはポケット（右）６０ｂが干渉する位置に回転トレイ１１を止めた状態から（原位置から約９０°回転した状態）、誤って扉（扉（左）５０ａもしくは扉（右）５０ｂ）を閉じたとしても、ポケット（左）６０ａもしくはポケット（右）６０ｂが回転トレイ１１の円弧状に切欠いた端部に当接する。そのため、ポケット（左）６０ａ、ポケット（右）６０ｂ及び回転トレイ１１の物品が直接衝撃を受けることがない。従って、物品（食品）落下の危険度と低減でき、また、例えば、ポケット（左）６０ａ及びポケット（右）６０ｂには多くビン容器等が収納されるが、ビン容器の破損も回避できる。
【００３５】
以上のように、本実施の形態の回転棚装置１０は、食品等を載置する回転トレイ１１と、回転トレイ１１を回転自在に支持する支持棚１２と、回転トレイ１１と支持棚１２とを嵌合する固定リング１３と、貯蔵室左右側面に設置され、支持棚１２が摺動する一対のレール２０とを備え、回転トレイ１１を回動させる回転中心が支持棚１２の略中央に形成されるとともに、回転トレイ１１がその回転支点を中心とする円弧形状によって回転トレイ１１の４隅を切り欠いた略四角形状であるので、コーナー部の無効スペースを最小限に留めることができるという効果を奏する。
【００３６】
また、高さ方向の配置位置関係として、回転棚装置１０の前方の扉（扉（左）５０ａ及び扉（右）５０ｂ）に設置されるポケット（ポケット（左）６０ａ及びポケット（右）６０ｂ）のフランジ高さ範囲内に、回転トレイ１１の円弧状に切欠いた端部のフランジが収まるような位置関係とする。それにより、回転トレイ１１の回転動作時は、回転トレイ軸１１ａが前方へ移動するため、扉（扉（左）５０ａ及び扉（右）５０ｂ）が閉じた時に、ポケット（ポケット（左）６０ａ及びポケット（右）６０ｂ）自体もしくはポケット内のビン容器等に干渉する軌跡を回転トレイ１１が通過する。しかし、仮に、使用者がポケット干渉位置に回転トレイ１１を止めた状態から、誤って扉閉動作を起こしたとしても、ポケット（ポケット（左）６０ａ及びポケット（右）６０ｂ）のフランジと回転トレイ１１の円弧状に切欠いた端部のフランジが当接するため、ポケット（ポケット（左）６０ａ及びポケット（右）６０ｂ）及び回転トレイ１１の物品が直接衝撃を受けることがない。そのため、物品落下の危険度と低減でき、また、例えば、ポケット（ポケット（左）６０ａ及びポケット（右）６０ｂ）には多くビン容器等が収納されるが、ビン容器の破損も回避できる効果を奏する。
【符号の説明】
【００３７】
１０  回転棚装置、１１  回転トレイ、１１ａ  回転トレイ軸、１２  支持棚、１２ａ  軸支持穴、１３  固定リング、２０  レール、２０ａ  ストッパー、５０ａ  扉（左）、５０ｂ  扉（右）、６０ａ  ポケット（左）、６０ｂ  ポケット（右）、１００  冷蔵庫、１０１  冷蔵室。
【図１】
2011247446.tif 000003
【図２】
2011247446.tif 000004
【図３】
2011247446.tif 000005
【図４】
2011247446.tif 000006
【図５】
2011247446.tif 000007
【図６】
2011247446.tif 000008
【図７】
2011247446.tif 000009
【図８】
2011247446.tif 000010
【図９】
2011247446.tif 000011
【図１０】
2011247446.tif 000012
【図１１】
2011247446.tif 000013